(57)【要約】【課題】幼児にも、容易に正しいメロディを奏でることができる楽器玩具を提供する。【解決手段】曲目の音程を記憶し、該音程を所定の順序で発音させる制御装置１３と、操作杆３によって揺動される揺動体７と、該揺動体によって開閉される音声発生スイッチと、スピーカ１５とを備え、前記音声発生スイッチ１０の閉成時間に対応し前記曲目の音程を順次発音させてメロディを奏でるように構成した楽器玩具において、前記発音スイッチ１０の投入時期を指示する操作指示手段２０を備えたことを特徴としている。【選択図】図１
2005121791.tif 000002
【特許請求の範囲】
【請求項１】
曲目の音程を記憶し、該音程を所定の順序で発音させる制御手段と、操作杆によって揺動される揺動体と、該揺動体によって開閉される音声発生スイッチと、スピーカとを備え、前記音声発生スイッチの閉成時間に対応し前記曲目の音程を順次発音させてメロディを奏でるように構成した楽器玩具において、
前記音声発生スイッチの投入時期を指示する操作指示手段を備えたことを特徴とする楽器玩具。
【請求項２】
前記操作指示手段は、光学表示部を備えた視覚式操作指示手段であることを特徴とする請求項１に記載の楽器玩具。
【請求項３】
前記光学表示部は、複数のLEDセグメントによって構成され、それらのセグメントを選択的に発光させることによって、操作タイミングを知らせるようにしたことを特徴とする請求項２に記載の楽器玩具。
【請求項４】
前記光学表示部として、選択した曲目を数字によって表示する選曲表示板を共用したことを特徴とする請求項２または３に記載の楽器玩具。
【請求項５】
前記操作指示手段は、複数個のLEDを胴部に配設し、それらのLEDを順次点灯させることによって操作タイミングを知らせる視覚式操作指示手段であることを特徴とする請求項１に記載の楽器玩具。
【請求項６】
前記操作指示手段は、揺動，振動等をプレーヤに伝達することによって操作タイミングを知らせる触覚式操作指示手段であることを特徴とする請求項１に記載の楽器玩具。
【請求項７】
前記触覚式操作手段は、弓を載せ、該弓によって作動され、前記音声発生スイッチを操作する揺動体に、ローラの表面を臨ませ、該ローラを回転させることによって、操作タイミングを知らせることを特徴とする請求項６に記載の楽器玩具。
【請求項８】
前記触覚式操作手段は、楽器本体における棹の指を当てる部位に、揺動部材の一部を臨ませ、該揺動部材を揺動させることによって、操作タイミングを知らせることを特徴とする請求項６に記載の楽器玩具。
【請求項９】
前記触覚式操作手段は、楽器本体に振動子を配設し、該振動子を振動させることによって、操作タイミングを知らせることを特徴とする請求項６に記載の楽器玩具。
【請求項１０】
前記操作指示手段は、音声をプレーヤに伝達することによって操作タイミングを知らせる聴覚式操作指示手段であることを特徴とする請求項１に記載の楽器玩具。
【請求項１１】
前記聴覚式操作指示手段は、楽器本体に、操作タイミングを知らせるイヤホンを備えていることを特徴とする請求項１０に記載の楽器玩具。
【発明の詳細な説明】
【技術分野】
【０００１】
本発明は、バイオリン等の弦楽器を弓で弾く楽器玩具に関するものである。
【背景技術】
【０００２】
弦楽器を弓で弾く楽器玩具としては、曲目の音程を記憶し、該音程を所定の順序で発音させる制御手段と、胴部に揺動自在に支持された揺動体と、該揺動体を揺動させるための操作杆と、揺動体の揺動によって開閉するスイッチと、スピーカからなる発音機構を備え、前記曲目の音程は、前記スイッチの開閉時間に対応して発音されて、メロディが奏でられるように構成された楽器玩具がある（例えば、特許文献１参照）。
【特許文献１】実公平４−３３９１２号公報（図１〜図３）
【発明の開示】
【発明が解決しようとする課題】
【０００３】
しかしながら、上記特許文献１の楽器玩具では、特に、幼児にとって、次の音を発生させるタイミング、即ち、スイッチを開閉操作するタイミングが合わせ難いため、正しいメロディを奏でることが難しい。
【０００４】
そこで、本発明は、幼児にも、容易に正しいメロディを奏でることができる楽器玩具を提供することを目的とする。
【課題を解決するための手段】
【０００５】
請求項１の楽器玩具は、曲目の音程を記憶し、該音程を所定の順序で発音させる制御手段と、操作杆によって揺動される揺動体と、該揺動体によって開閉される音声発生スイッチと、スピーカとを備え、前記音声発生スイッチの閉成時間に対応し前記曲目の音程を順次発音させてメロディを奏でるように構成した楽器玩具において、前記音声発生スイッチの投入時期を指示する操作指示手段を備えたことを特徴としている。
【０００６】
請求項２の楽器玩具は、請求項１の発明において、前記操作指示手段が、光学表示部を備えた視覚式操作指示手段であることを特徴としている。
【０００７】
請求項３の楽器玩具は、請求項２の発明において、前記光学指示部は、複数のLEDセグメントによって構成され、それらのセグメントを選択的に発光させることによって、操作タイミングを表示するようにしたことを特徴としている。
【０００８】
請求項４の楽器玩具は、請求項２または３の発明において、前記光学表示部として、選択した曲目を数字によって表示する選曲表示板を共用したことを特徴としている。
【０００９】
請求項５の楽器玩具は、請求項１の発明において、前記操作指示手段が、複数個のLEDを胴部に配設し、それらのLEDを順次点灯させることによって操作タイミングを知らせる視覚式操作指示手段であることを特徴としている。
【００１０】
請求項６の楽器玩具は、請求項１の発明において、前記操作指示手段が、揺動，振動等をプレーヤに伝達することによって操作タイミングを知らせる触覚式操作指示手段であることを特徴としている。
【００１１】
請求項７の楽器玩具は、請求項６の発明において、前記触覚式操作手段が、弓を載せ、該弓によって作動され、前記音声発生スイッチを操作する揺動体に、ローラの表面を臨ませ、該ローラを回転させることによって、操作タイミングを知らせることを特徴としている。
【００１２】
請求項８の楽器玩具は、請求項６の発明において、前記触覚式操作手段は、楽器本体における棹の指を当てる部位に、揺動部材の一部を臨ませ、該揺動部材を揺動させることによって、操作タイミングを知らせることを特徴としている。
【００１３】
請求項９の楽器玩具は、請求項６の発明において、前記触覚式操作手段は、楽器本体に振動子を配設し、該振動子を振動させることによって、操作タイミングを知らせることを特徴としている。
【００１４】
請求項１０の楽器玩具は、請求項１の発明において、前記操作指示手段が、音声をプレーヤに伝達することによって操作タイミングを知らせる聴覚式操作指示手段であることを特徴としている。
【００１５】
請求項１１の楽器玩具は、請求項１０の発明において、前記聴覚式操作指示手段が、楽器本体にイヤホンを備えていることを特徴としている。
【発明の効果】
【００１６】
請求項１の楽器玩具によれば、操作杆を作動させるタイミングが知らされるので、幼児にとっても容易に正しいメロディを奏でることができる。
【００１７】
請求項２の楽器玩具によれば、視覚によってタイミングを確認するので、視覚神経の発達に寄与する。
【００１８】
請求項３の楽器玩具によれば、LEDセグメントによって表示されるので、表示の自由度が高く、より明瞭な表示ができる。
【００１９】
請求項４の楽器玩具によれば、選曲用に使用される表示部を共用するので、コストの低減が図れる。
【００２０】
請求項５の楽器玩具によれば、表示部を単純に構成でき、タイミングを容易に取ることができる。特に、色の異なるLEDを採用すれば、より容易に確認することができる。
【００２１】
請求項６の楽器玩具よれば、触覚によってタイミングを確認するので、触覚神経の発達に寄与するばかりでなく、目を閉じていてもより正確な演奏を行なうことができる。
【００２２】
請求項７の楽器玩具よれば、弓を介してタイミングを知らされるので、より正確な操作が行なえる。
【００２３】
請求項８の楽器玩具によれば、棹を握る一方の手の指に操作タイミングが知らされ、他方の手で操作杆を操作するようになるので、演奏を行なう動作が複雑になり、指で棹を常に握る必要があり、触覚神経の発達により寄与する。
【００２４】
請求項９の楽器玩具によれば、振動子を取付ければよいので、コストの低減が図れる。
【００２５】
請求項１０の楽器玩具によれば、聴覚によってタイミングを確認するので、聴覚神経の発達に寄与する。
【００２６】
請求項１１の楽器玩具によれば、タイミングの確認がより容易になる。
【発明を実施するための最良の形態】
【００２７】
以下に、本発明に係る楽器玩具を図面を参照しながら説明する。
図１は本発明に係る楽器玩具を概念的に示した斜視図、図２は図１の楽器玩具の縦断面図、図３は音声発生スイッチを操作する揺動体を示した分解斜視図である。
【００２８】
図示した楽器玩具１は、バイオリン玩具であって、玩具本体２と弓３とによって構成されている。
玩具本体２は、胴部２ａと棹２ｂとを備え、上半部と下半部が合成樹脂でそれぞれ成形され、それらが付合わされて一体化されている。胴部２ａの表板４と棹２ｂの上面には、弦に模して形成した複数の突条５が形成されている。表板４の中央部に位置する突条５には、表板４を貫く切欠き６が形成されている。この切欠き６には、上部が臨むようにして揺動体７が設置されている。
【００２９】
揺動体７は、図３に示したように、半円弧状を成し、側面に軸８，８を有している。
一方、玩具本体２における胴部２ａの底壁内面には、軸受９，９が立設され、この軸受９，９に揺動体７の軸８，８が回転自在に支持されている。
【００３０】
玩具本体２における底壁内面の軸受９，９間には、音声発生スイッチ１０が構成されている。音声発生スイッチ１０は、図３に示したように、平面視コ字状の固定端子１１ａと、該固定端子の上方に配置された弾力性を有する可動端子１１ｂとによって構成され、可動端子１１ｂの両端部は、固定端子１１ａの端部上方に位置されている。
【００３１】
また、玩具本体２における底壁内面には、図２に示したように、基板１２が設置されている。この基板１２には、マイクロコンピュータ（ＣＰＵ）等からなる制御装置１３が搭載されている。
さらに、玩具本体２における底壁内面には、電池ケース１４，スピーカ１５等が配設されている。
【００３２】
また、玩具本体２の表板４には、選曲選択ボタン１６ａ，１６ｂ、キャンセルボタン等の各種の操作ボタンが配設され、胴部２ａの側板１７には、電源スイッチ１８が配設されている。
また、玩具本体２の棹２ｂの先端部上面には、ＬＥＤセグメントによって構成された表示板１９が配設されている。この表示板１９は、複数のＬＥＤセグメント（例えば７セグメント）からなる数字を表示するもので、この実施形態では、２桁の数字を表示することが可能である。
【００３３】
このように構成された楽器玩具１では、弓３によって揺動体７を一方に揺動させ、それによって可動端子１１ｂの一端部を押下させる。すると、可動端子１１ｂの一端部が固定端子１１ａの一端部に当接される。可動端子１１ｂが固定端子１１ａに当接されると、制御装置１３に予め記憶されているメロディを構成する１つの音が出力され、スピーカ１５を介して発音される。次いで、弓３によって揺動体７を他方に揺動させると、音は直ちに断たれる。さらに揺動体７を他方に揺動させ、それによって可動端子１１ｂの他端部を固定端子１１ａの他端部に当接させると、次の音が出力され、スピーカ１５を介して発音される。この楽器玩具１では、このように可動端子１１ｂ固定端子１１ａに接触する毎に、メロディを構成する次の音が発生され、それによってメロディが奏せられる。
【００３４】
この楽器玩具１の表示板１９では、制御装置１３に予め記憶されている曲目に対応する番号が表示され、選曲ボタン１６ａを操作すると、その番号が順次大きくなり、選曲ボタン１６ｂを操作すると、番号が順次小さくなる。
【００３５】
この楽器玩具１では、音声発生スイッチ１０の投入タイミングを指示する操作指示手段を備えている。
【００３６】
図４乃至図６は、光によって音声発生スイッチ１０の操作を指示する視覚的操作指示手段２０を示したもので、この操作指示手段２０は、楽器玩具１の表示板１９を共用している。
この操作指示手段２０では、数字を表すための７個のＬＥＤセグメント２１ａ〜２１ｇと、同様にＬＥＤセグメント２２ａ〜２２ｇの２組の表示部２１，２２を備えている。これらの表示部２１，２２の各セグメント２１ａ〜２１ｇ、２２ａ〜２２ｇは、制御装置１３によって次のように制御される。
【００３７】
電源をＯＮ（ステップ２０１）にして、選曲する（ステップ２０２）する。次いで、弓３によって揺動体７を揺動させて、音声発生スイッチ１０を作動させて第１音を発生させる（ステップ２０３）と、制御装置１３において、そのスイッチ１０からの信号に基づいて、設定時間ｔ１後（ステップ２０４）、即ち、第２音を発生させるまでの時間から所定の時間（ｔ１＋ｎ×ｔ２）前に、ＬＥＤ２１ａを点灯（ステップ２０２、図６における1)参照）（ステップ２０５）し、次いで所定時間ｔ２後（ステップ２０６）にＬＥＤ２２ｂを点灯（ステップ２０３、図６における2)参照）（ステップ２０７）し、次いで、所定時間ｔ２後（ステップ２０８）にＬＥＤ２２ｃを点灯（ステップ２０９、図６における3)参照）し、次いでＬＥＤ２２ａ，２２ｃ〜２２ｇを点灯（ステップ２１０、図６における4)参照）する。このようにして、ＬＥＤ２２ａ，２２ｃ〜２２ｇが点灯される（ステップ２１１）と、プレーヤは、それを確認して、直ちに弓３を操作して、揺動体７を揺動させて音声発生スイッチ１０をＯＮにする。
このようにして選択した曲の全ての音が発音される（ステップ２１２）と、演奏は終了する。
【００３８】
図７は、光によって音声発生スイッチ１０のタイミングを指示する視覚式操作指示手段の変形例を示したもので、この操作指示手段３０は、楽器本体２の表板４に４つのＬＥＤ３１ａ，３１ｂ，３１ｃ，３１ｄを植設し、このＬＥＤを順次点灯させることによって操作タイミングを表示する。
【００３９】
この操作指示手段３０では、上記第１実施形態と同様にして、４つのＬＥＤ３１ａ，３１ｂ，３１ｃ，３１ｄが制御される。
【００４０】
図８乃至図１０は、  本発明に係る第２実施形態である触覚式操作指示手段４０を備えた楽器本体を示している。
【００４１】
この触覚式操作指示手段４０は、揺動体７に、下方に開口する中空部を形成するとともに、揺動体７の周面中間部に孔７ａを形成し、中空部にローラ４１を配設し、かつその周面を孔７ａに臨ませている。
駆動ローラ４１は、ギヤ列４２を介して、玩具本体２における胴部２ａの底壁内面に設置されたモータ４３の軸４３ａに噛合されている。
【００４２】
この操作指示手段４０を備えた楽器玩具１では、弓３を揺動体７に載せた状態にしておくと、ローラ４１が回転され、該ローラ４１によって弓３が移動され、操作タイミングが知らされる。したがって、プレーヤは、ローラ４１の回転に同期させるようにして、弓３を移動すれば、揺動体７を一方に揺動させることになり、タイミングよく音声発生スイッチ１０を作動することができる。
【００４３】
この操作指示手段４０では、電源をＯＮ（ステップ３０１）にして、選曲する（ステップ３０２）。次いで、弓３によって揺動体７を揺動させ、音声発生スイッチ１０を作動させて第１音を発生させる（ステップ３０３）と、制御装置１３において、そのスイッチ１０からの信号に基づいて、設定時間ｔ３後（ステップ３０４）、即ち、第２音を発生させるまでの時間から所定の時間前に、モータ４３を一方に回転（正転）させ（ステップ３０５）、駆動ローラ４１を一方向に回転させる。プレーヤは、この駆動ローラ４１の回転速度に同期させるようにして弓３を操作し、それによって揺動体７を揺動させて音声発生スイッチ１０を作動させる。スイッチ１０の作動が確認される（ステップ３０６）と、直ちにモータ４３を停止させ（ステップ３０７）、設定時間ｔ３後にモータ４３を他方に回転（逆転）させ（ステップ３０９）、駆動ローラ４１を他方向に回転させる。プレーヤは、この駆動ローラ４１の回転速度に同期させるようにして弓３を操作し、それによって揺動体７を揺動させて音声発生スイッチ１０を作動させる。スイッチ１０の作動が確認される（ステップ３１０）と、直ちにモータ４３を停止させる（ステップ３１１）。
このようにして選択した曲の全ての音が発音される（ステップ３１２）と、演奏は終了する。
【００４４】
図１１乃至図１３は、本発明に係る第２実施形態の変形例である触覚式操作指示手段５０を備えた楽器本体を示している。
【００４５】
この触覚式操作指示手段５０は、棹２ｂの先端部内部に揺動部材５１の軸５１ａを回動可能に支持するとともに、該揺動部材の周面を棹２ｂの上面に形成した孔５２に臨ませている。そして、この揺動部材５１は、下端に切欠き５３を備えており、該切欠きは、モータ（アクチュエータ）５４によって回転される偏芯カム５５に係合している。
この操作指示手段５０では、モータ５４によって偏芯カム５５が回転され、該偏芯カムの回転によって揺動部材５１が軸５１ａを中心にして揺動される。
プレーヤは、揺動部材５１に指を当てることによって弓３の操作タイミングを知ることができる。
【００４６】
この操作指示手段５０では、電源をＯＮ（ステップ４０１）にして、選曲する（ステップ４０２）。次いで、弓３によって揺動体７を揺動させて、音声発生スイッチ１０を作動させて第１音を発生させる（ステップ４０３）と、制御装置１３において、そのスイッチ１０からの信号に基づいて、設定時間ｔ４後（ステップ４０４）、即ち、第２音を発生させるまでの時間から所定の時間前に、モータ（アクチュエータ）５４を回転させ（ステップ４０５）、揺動部材５１を揺動させる。プレーヤは、この揺動部材５１の揺動を合図に弓３を操作し、それによって揺動体７を揺動させて音声発生スイッチ１０を作動させる。スイッチ１０の作動が確認される（ステップ４０６）と、直ちにモータ５４を停止させる（ステップ４０７）。
このようにして選択した曲の全ての音が発音される（ステップ４０８）と、演奏は終了する。
【００４７】
図１４は、本発明に係る第２実施形態のさらなる変形例である触覚式操作指示手段６０を備えた楽器本体を示している。
【００４８】
この触覚式操作指示手段６０は、棹２ｂの先端部内部に振動子６１を備えている。
プレーヤは、棹２ｂを握っている手が振動子６１の振動を感知することによって、弓３の操作タイミングを知ることができる。
【００４９】
この操作指示手段６０では、上記第２実施形態の変形例と同様にして、振動子６１が制御される。
【００５０】
図１５は、本発明に係る第３実施形態である聴覚式操作指示手段７０を備えた楽器本体を示している。
【００５１】
この聴覚式操作指示手段７０は、イヤホン７１を備えている。
プレーヤは、イヤホン７１を耳に当て、該イヤホンからの音、例えば「トン」，「トン」，「トン」・・・等を感知することによって、弓３の操作タイミングを知ることができる。
【００５２】
この操作指示手段７０では、上記第２実施形態の変形例と同様にして、イヤホン７１から発せられる音が制御される。
【００５３】
なお、上記各実施形態では、楽器玩具として、バイオリン玩具を示したが、本発明は、チェロ等の弓によって演奏される他の弦楽器にも適用できることは勿論である。
【図面の簡単な説明】
【００５４】
【図１】本発明に係る楽器玩具を示した概念的な斜視図である。
【図２】図１における楽器玩具の縦断面図である。
【図３】図１における楽器玩具の音声発生スイッチと揺動体を示した分解斜視図である。
【図４】図１における楽器玩具の視覚的操作指示手段を示した図である。
【図５】本発明に係る楽器玩具の第１実施形態である視覚式操作指示手段の制御を示したフローチャートである。
【図６】図５に示したフローチャートに基づいて表示されたＬＥＤの点灯状態を示した図である。
【図７】第１実施形態の視覚式操作指示手段の変形例を示したもので、楽器本体の表板にＬＥＤを植設した楽器玩具を示した平面図である。
【図８】本発明に係る第２実施形態である触覚式操作指示手段を備えた楽器本体を示した平面図である。
【図９】図８における操作指示手段の機構を概念的に示した斜視図である。
【図１０】図８における操作指示手段の制御を示したフローチャートである。
【図１１】本発明に係る第２実施形態の変形例である触覚式操作指示手段を備えた楽器玩具の平面図である。
【図１２】図１１における操作指示手段の機構を概念的に示した斜視図である。
【図１３】図１１における操作指示手段の制御を示したフローチャートである。
【図１４】本発明に係る第２実施形態のさらなる変形例である触覚式操作指示手段を備えた楽器玩具の平面図である。
【図１５】本発明に係る第３実施形態である聴覚式操作指示手段を備えた楽器本体を示した平面図である。
【符号の説明】
【００５５】
１  楽器玩具
２  玩具本体
２ａ  胴部
２ｂ  棹
３  弓
４  表板
５  突条
６  切欠き
７  揺動体
８  軸
９  軸受
１０  音声発生スイッチ
１１ａ  固定端子
１１ｂ  可動端子
１２  基板
１３  制御装置
１４  電池ケース
１５  スピーカ
１６ａ，１６ｂ  選曲ボタン
１７  側板
１８  電源スイッチ
１９  表示板
２０  操作指示手段
２１，２２  表示部
２１ａ〜２１ｇ、２２ａ〜２２ｇ  ＬＥＤセグメント
３０  操作指示手段
３１ａ〜３１ｄ  LED
４０  操作指示手段
４１  ローラ
４２  ギヤ列
４３  モータ
４３ａ  軸
５０  操作指示手段
５１  揺動部材
５１ａ  軸
５２  孔
５３  切欠き
５４  モータ（アクチュエータ）
５５  偏芯カム
６０  操作指示手段
６１  振動子
７０  操作指示手段
７１  イヤホン
【図１】
2005121791.tif 000003
【図２】
2005121791.tif 000004
【図３】
2005121791.tif 000005
【図４】
2005121791.tif 000006
【図５】
2005121791.tif 000007
【図６】
2005121791.tif 000008
【図７】
2005121791.tif 000009
【図８】
2005121791.tif 000010
【図９】
2005121791.tif 000011
【図１０】
2005121791.tif 000012
【図１１】
2005121791.tif 000013
【図１２】
2005121791.tif 000014
【図１３】
2005121791.tif 000015
【図１４】
2005121791.tif 000016
【図１５】
2005121791.tif 000017